Podtech/llm-jp-corpus-v4-ja_patent huggingface dataset:
(57)【要約】      （修正有）【課題】魚が針掛かりしやすく、釣り針の軸が伸びにくい釣り仕掛けを提供する。【解決手段】ハリス挿通孔２を頭部に有する２本の釣り針１０２にハリス６が挿通され、２本の釣り針１０２がハリス６を軸に回動自在に動けるように取り付けられる。さらに、２本の釣り針１０２の間にハリス６が挿通された球状の部材１０とハリス６の一端７に２本の釣り針の脱落を防止するストッパー９を備える。【選択図】図５
0003226454.tif 000002
【実用新案登録請求の範囲】
【請求項１】
ハリスと、ハリス挿通孔を頭部に有する２本の釣り針と、前記２本の釣り針が前記ハリスの一端から脱落することを防止するストッパーと、を備え、前記２本の釣り針は、前記ハリス挿通孔に前記ハリスが挿通された状態で、前記ハリスを軸に回動自在に取り付けられ、前記ストッパーは、前記ハリスの前記一端に取り付けられていることを特徴とする釣り仕掛け。
【請求項２】
前記２本の釣り針の間に、挿通孔を有する球状の部材又は筒状の部材が前記ハリスを挿通された状態で位置する請求項１の釣り仕掛け。
【請求項３】
前記部材は、大きさが１０ｍｍ未満である請求項２の釣り仕掛け。
【考案の詳細な説明】
【技術分野】
【０００１】  ハリス挿通孔を頭部に有する釣り針が、ハリスを挿通された状態でハリスを軸に回動自在に取り付けられる釣り仕掛けに関するものである。
【背景技術】
【０００２】  複数の釣り針が近接した状態でハリスに回動自在に取り付けられる仕掛けは現時点で公開されていないので、この仕掛けに関する研究はなされていない背景がある。
【先行技術文献】
【０００３】
【特許文献１】特開昭６３−２０９５３４
【考案の概要】
【考案が解決しようとする課題】
【０００４】  魚釣りに使用する釣り針は小さい物が魚に吸い込まれやすく針掛かりしやすいが、小さい釣り針は軸が細いので軸が伸びて魚が外れやすい。そこで軸が太く大きい釣り針を使用すれば軸は伸びないが、魚に吸い込まれにくく釣果が上がらないという課題がある。また小さい釣り針で軸を太くすると、魚に貫通しにくく、魚が針掛かりしない。【０００５】  特許文献１の発明は小針が回動自在に取り付けられているが、親針はハリスに固定されているため、ハリスを軸に回動して魚に針掛かりすることはない。【０００６】  本考案は、魚が針掛かりしやすく、釣り針の軸が伸びにくい釣り仕掛けを提供するものである。
【課題を解決するための手段】
【０００７】  本考案は、ハリスと、ハリス挿通孔を頭部に有する２本の釣り針と、前記２本の釣り針が前記ハリスの一端から脱落することを防止するストッパーと、を備え、前記２本の釣り針は、前記ハリス挿通孔に前記ハリスが挿通された状態で、前記ハリスを軸に回動自在に取り付けられ、前記ストッパーは、前記ハリスの前記一端に取り付けられていることを特徴とする釣り仕掛けである。【０００８】  本考案は、前記２本の釣り針の間に、挿通孔を有する部材又は筒状の部材が前記ハリスを挿通された状態で位置する請求項１の釣り仕掛けである。【０００９】  本考案は、前記部材の大きさが１０ｍｍ未満である請求項２の釣り仕掛けである。
【考案の効果】
【００１０】  本考案の釣り仕掛けは、魚の引きを２本の釣り針に分散出来るので、軸の細い小さい釣り針が使用出来、魚が針掛かりしやすく、軸が伸びにくい釣り仕掛けである。【００１１】  本考案の釣り仕掛けは、２本の釣り針の間に挿通孔を有する部材又は筒状の部材がハリスを挿通された状態で位置するので、釣り針間の距離を変えることが出来、魚の口に刺さる針先の間隔を広げてアジなどの口が弱い魚の口切れを防止できる。【００１２】  前記部材は大きさが１０ｍｍ未満であるので、釣り針間の距離が大きく離れず、２本の釣り針が魚に吸い込まれやすく、且つ針先の間隔が少し離れるので口が弱い魚の口切れを防止できる。
【図面の簡単な説明】
【００１３】
【図１】第一の実施例
【図２】ａ）  挿通孔を有する釣り針の左側面図  ｂ）  挿通孔を有する釣り針の正面図
【図３】ａ）  挿通孔を有する球状の部材の左側面図  ｂ）  挿通孔を有する球状の部材の正面図
【図４】ａ）  筒状の部材の左側面図  ｂ）  筒状の部材の正面図
【図５】第二の実施例
【考案を実施するための形態】
【００１４】  下記の実施例をもって、考案を実施するための形態の説明も兼ねる。釣り仕掛けの説明においては、針先の位置など見やすくするために餌は付けない状態で説明する。
【実施例】
【００１５】  図１の第一の実施例である釣り仕掛け１０１は、２本の釣り針１０２を有し、この２本の釣り針１０２のハリス挿通孔２にハリス６が挿通され、２本の釣り針１０２が近接した状態でハリス６を軸に回動自在に装着されている。
更に、２本の釣り針１０２とハリス６の一端７との間にストッパー９を備えるので２本の釣り針１０２がハリス６の一端７から脱落しない。
このストッパー９は、ハリスを結束した結び玉とするのが便利である。
ハリス６の他端８はサルカンなどに接続されるが図では示していない。
この第一の実施例は、１本のハリスに装着する釣り針を２本にする構成であり、釣り針に掛かる魚の引きが２本に分散でき、釣り針の軸が伸びにくくなり魚が外れない。釣り針の軸が伸びにくくなるので、魚が吸い込み易い小さい釣り針が使用できる。【００１６】  図５の第二の実施例である釣り仕掛け１０３は、２本の釣り針１０２間にハリス６を挿通された球状の部材１０を備えている。その他の構成は第一の実施例と同じである。球状の部材１０は大きさが１０ｍｍ未満なので、魚に吸い込まれ易さを維持したまま針先の間隔１４を変えることになりアジなどの口切れを防止できる。
この球状の部材は筒状の部材１２であっても効果は同じである。
【符号の説明】
【００１７】    １  釣り針の頭部
２  ハリス挿通孔
３  釣り針の軸
４  針先
５  返し
６  ハリス
７  ハリスの一端
８  ハリスの他端
９  ストッパー
１０  挿通孔を有する球状の部材
１１  部材１０の挿通孔
１２  筒状の部材
１３  部材１２の挿通孔
１４  針先の間隔
１０１  第一の実施例
１０２  頭部にハリス挿通孔を有する釣り針
１０３  第二の実施例
【図１】
0003226454.tif 000003
【図２】
0003226454.tif 000004
【図３】
0003226454.tif 000005
【図４】
0003226454.tif 000006
【図５】
0003226454.tif 000007
(57)【要約】      （修正有）【課題】開けた際、上下（天地）が反対で、印鑑ケースに収納されていた印鑑が落下するという問題を解消するがま口印鑑ケースを提供する。【解決手段】印鑑ケース本体の上部である１と印鑑ケース本体の下部である２で形成されているがま口印鑑ケースにおいて、がま口印鑑ケース本体の上部及び下部にそれぞれ取り付けられている一対のらっきょう玉状の上部側留め具の３ａにのみ溝を刻む等して印を付けて、上下を見分けられるようにする。【選択図】図１
0003226832.tif 000002
【実用新案登録請求の範囲】
【請求項１】
上部ケースと下部ケースとを開閉自在に連結してなるがま口印鑑ケースにおいて、上部ケースと下部ケースのそれぞれに取り付けられた一対の留め具の一方にのみに印を付けたことを特徴とするがま口印鑑ケース
【考案の詳細な説明】
【技術分野】
【０００１】  本考案は、がま口印鑑ケースの留め具に関するものである。
【背景技術】
【０００２】  従来のがま口印鑑ケースは、留め具を一対のらっきょう玉状の留め具に変更しただけの印鑑ケースであった。
【考案の開示】
【考案が解決しようとする課題】
【０００３】  従来のがま口印鑑ケースにおいては、印鑑ケースの上下（天地）が分かるような工夫がなされていなかった。したがって、従来のがま口印鑑ケースを開けた際、上下（天地）が反対で、印鑑ケースに収納されていた印鑑が落下することが頻発していた。
そこで、本考案は、留め具の一方にのみ印を付けることにより、上記問題点を解決しようとするものである。
【課題を解決するための手段】
【０００４】  本考案は、一対のらっきょう玉状の留め具が取り付けられた印鑑ケースにおいて、一方の留め具にのみ溝を刻む等して印を付けることにより問題点を解決している。
【考案の効果】
【０００５】  以上のように、一方の留め具にのみ溝を刻む等して印を付けることにより、がま口印鑑ケースの上下（天地）を、一見して見分けることができるようになり、印鑑ケースを開けた際に収納されていた印鑑が落下する問題が解消された。
【考案の実施するための最良の形態】
【０００６】  本考案の一実施形態を図１に示す。
がま口印鑑ケース本体は、がま口印鑑ケース本体の上部である１とがま口印鑑ケース本体の下部である２で形成されている。３はがま口印鑑ケース本体の上部１及び下部２にそれぞれ取り付けられているらっきょう玉状の留め具で、３ａと３ｂの一対になっているが、３ａにのみ溝が刻まれている。
【図面の簡単な説明】
【０００７】
【図１】開いた状態のがま口印鑑ケースの正面図
【図２】閉じた状態のがま口印鑑ケースの斜視図
【図３】閉じた状態のがま口印鑑ケースの留め具の正面図
【符号の説明】
【０００８】１  がま口印鑑ケース本体の上部
２  がま口印鑑ケース本体の下部
３  留め具
【図１】
0003226832.tif 000003
【図２】
0003226832.tif 000004
【図３】
0003226832.tif 000005
(57)【要約】【課題】月極賃貸物件の賃貸が月の途中で開始される場合において、賃貸料の日割り計算の要素となる賃貸日数を一目で把握可能なカレンダーを提供する。【解決手段】本考案のカレンダー１は、日付２と、該各日付２に対応させて設けられた賃貸日数表示３と、を備え、該各賃貸日数表示３は、各日付２の日に月極賃貸物件の賃貸が開始される場合の当該月における賃貸日数を予め表示したものである。【選択図】    図１
0003226808.tif 000002
【実用新案登録請求の範囲】
【請求項１】
日付と、該各日付に対応させて設けられた賃貸日数表示と、を備え、該各賃貸日数表示は、各日付の日に月極賃貸物件の賃貸が開始される場合の当該月における賃貸日数を予め表示したものである、カレンダー。
【考案の詳細な説明】
【技術分野】
【０００１】
本考案は、カレンダーに関し、特に、月極賃貸物件の賃貸が月の途中で開始される場合に、当該月の賃貸料の日割り計算の要素となる賃貸日数を一目で把握可能なカレンダーに関するものである。
【背景技術】
【０００２】
住宅や駐車場等の月極賃貸物件の賃貸が月の途中で開始される場合には、当該月の賃貸料は日割りで計算される。しかし、日割り計算の要素となる賃貸日数をいちいち計算するのは煩雑である。
【考案の概要】
【考案が解決しようとする課題】
【０００３】
本考案は、前記のような事情に鑑みてなされたもので、月極賃貸物件の賃貸が月の途中で開始される場合において、賃貸料の日割り計算の要素となる賃貸日数を一目で把握可能なカレンダーを提供しようとするものである。
【課題を解決するための手段】
【０００４】
前記課題を解決するため、本考案に係るカレンダーは、日付と、該各日付に対応させて設けられた賃貸日数表示と、を備え、該各賃貸日数表示は、各日付の日に月極賃貸物件の賃貸が開始される場合の当該月における賃貸日数を予め表示したものであることを特徴とする。
【０００５】
本考案のカレンダーによれば、月極賃貸物件の賃貸が月の途中で開始される場合において、賃貸開始の日付に対応する賃貸日数表示を参照することで、当該月における賃貸日数を一目で把握できる。その都度いちいち賃貸日数を計算する必要がないので便利であり、賃貸借契約に係る事務処理が円滑に進む利点もある。
【図面の簡単な説明】
【０００６】
【図１】本考案の実施の一形態に係るカレンダーの平面図である。
【考案を実施するための形態】
【０００７】
以下、添付図面を参照して、本考案の実施の形態について説明する。
【０００８】
図１に示すように、本考案の実施の一形態に係るカレンダー１は、日付２と、該各日付２に対応させて設けられた賃貸日数表示３と、を備える。各賃貸日数表示３は、各日付２の日に月極賃貸物件の賃貸が開始される場合の当該月における賃貸日数を予め表示したものである。
【０００９】
カレンダーの形式に限定はない。表示形式で言えば、日めくり式、月めくり式、一年分の暦を一枚にまとめた年表式等のいずれであってもよく、また、使用形態で言えば、壁掛け式、卓上式等のいずれであってもよく、さらに、素材の観点からは、紙製やプラスチック製のシート状のカレンダーのほか、木製やプラスチック製のブロック式のものや、電子式のカレンダーであってもよい。
【００１０】
図１の例は、月単位のカレンダーであり、２０２０年１月のカレンダーを示している。限定はされないが、一般のカレンダーに見られるように、上段には、日曜日から土曜日まで曜日４が横並びに表示され、１月１日から１月３１日までの日付２が各曜日４に対応して列記されている。
【００１１】
賃貸日数表示３は、各日付２に対応させて設けられる。限定はされないが、図１の例では、各日付２の下に、その日付に対応する賃貸日数が表記してある。ここで、賃貸日数とは、各日付２の日に月極賃貸物件の賃貸が開始される場合の、当該月における賃貸日数をいう。
【００１２】
各日付における賃貸日数の決め方は次の通りである。図１の例は１月のカレンダーであるので、ひと月の日数が３１日である。このため、１月１日の日付に対応する賃貸日数表示３は、１月１日を含む月末までの日数である「３１日分」となり、１月２日の日付に対応する賃貸日数表示３は、１月２日を含む月末までの日数である「３０日分」となる。以降、カレンダーの日付が進むにつれて賃貸日数が１日分ずつ減ることになる。同様にして、２月以降のカレンダーにも、当該月の日数に応じて当該月の賃貸日数が表示される。
【００１３】
本実施の形態のカレンダー１によれば、住宅や駐車場等の月極賃貸物件の賃貸が月の途中で開始される場合において、賃貸開始の日付に対応する賃貸日数表示３を参照することで、当該月における賃貸日数を一目で把握できる。その都度いちいち賃貸日数を計算する必要がないので便利であり、賃貸借契約に係る事務処理が円滑に進む利点もある。したがって、本実施の形態のカレンダー１は、不動産業者が手元に備えておくと特に有用である。
【符号の説明】
【００１４】
１    カレンダー
２    日付
３    賃貸日数表示
【図１】
0003226808.tif 000003
(57)【要約】      （修正有）【課題】ふたをシャッター式にすることで、ふたがじゃまにならずに開け放しで置いておくことができる筆箱を提供する。【解決手段】筆箱本体１の片面、又は両面のつまみ４付きふた２を、レール２（ａ）に誘導されて開閉するシャッター式にする。授業中、じゃまにならずえんぴつ、消しゴムの置き場を確保することができる。閉めた時は筆箱本体に設けた磁石３で固定される。【選択図】図２
0003226885.tif 000002
【実用新案登録請求の範囲】
【請求項１】
箱型の筆箱のふたをシャッター式にし、開けっ放しでも、ふたがじゃまにならないようにした筆箱
【考案の詳細な説明】
【技術分野】
【０００１】  本考案は、ふたの部分をシャッター式にした箱箱に関するものである。
【背景技術】
【０００２】  小学校（特に低学年）において使う箱箱は、えんぴつの芯が守られる点などから箱型のものが推奨され多く使われている。えんぴつを入れる箱の片面又は両面が扉のように開閉できるふたになっているものである。しかしそれでは授業中机の上に開け放して置いておくにはふたが邪魔である。そのため作業する道具が多い場合などには、えんぴつ１本と消しごむのみ机に出し、筆箱と机の中に収めるなどしていた。
【先行技術文献】
【特許文献】
【０００３】
【特許文献１】実開平５−１０６９２号公報
【考案の概要】
【考案が解決しようとする課題】
【０００４】  従来のふたは、机の上に開け放して置いておくと邪魔になる。又、ふたの開けしめがあるため、授業中のえんぴつの出し入れに時間がかかる。筆箱をおさめてえんぴつと消しごむを単体で出した場合は、ノートや教科書のすきまに隠れたり、作業中に転がり落ちたりすることもある。従ってふたをシャッター式にすることにより、えんぴつや消しごむの置き場を確保し、前述の課題を解決しようとするものである。
【課題を解決するための手段】
【０００５】  本考案は、筆箱のふたをシャッター式にすることによって、授業中、机の上に筆箱のふたが開いた状態で置いておくことが可能になり、机の上にえんぴつや消しごむの置き場を確保することができる。
【考案の効果】
【０００６】  上述の様に、本考案の筆箱は、ふたが邪魔にならず、机の上でふたを開けた状態で置いておくことができる。開け放しは、かぶせ式のふたの場合も可能であるが、デザイン的に一昔前の印象であり、現代では、この形の方がかっこいいと考えられる。
【図面の簡単な説明】
【０００７】
【図１】本考案のシャッター式筆箱のふたの閉めかかった例を示す。
【図２】本考案の筆箱のふたを開けた場合の例である。
【考案を実施するための形態】
【０００８】  シャッター式のふたにはつまみがついており、それをもって動かすことでふたが開閉する。シャッターは両端についたレールに誘導される。閉めた時には、本体についている磁石に接着することで、ふたが固定される。
【実施例】
【０００９】  以下、添付図面に従って実施例を説明する。１は耐久性のプラスチックス等適宜素材にて形成された筆箱本体。２は、シャッター式ふたで、つまみ４がついており、レール２（ａ）に誘導されて開閉する。閉めた時は、本体についている磁石３にカチッと接着し、固定される。
【符号の説明】
【００１０】１  筆箱本体
２  シャッター式ふた
２（ａ）  レール
３  磁石
４  ふたのつまみ
【図１】
0003226885.tif 000003
【図２】
0003226885.tif 000004
(57)【要約】【課題】オセロゲーム（オセロは登録商標）やリバーシゲームに代表される駒挟みゲームにおいて、需要層をひろげるため、親しみやすく興味を引きやすいデザインの駒挟みゲーム用駒を提供する。【解決手段】オセロゲームやリバーシゲームに代表される通常の駒挟みゲームにおいて、駒に表裏で色や模様の違う生物をデザインすることで、従来の駒挟みゲームより親しみやすく興味を引きやすなり、駒に表裏で質感の違う生物をデザインする事で、視覚的にハンデのある方も駒挟みゲームを楽しめるようになる。【選択図】図１
0003226890.tif 000002
【実用新案登録請求の範囲】
【請求項１】
駒の表裏に、表裏で色や模様又は質感の違う生物をデザインすることを特徴とする駒挟みゲーム用の駒。
【考案の詳細な説明】
【技術分野】
【０００１】
本発明は、オセロゲーム（オセロは商標登録）やリバーシゲームに代表される駒挟みゲームに使用される駒に関するものである。
【背景技術】
【０００２】
駒挟みゲームの代表であるオセロゲームは、一方の表面が白色、他方の表面が黒色である多数個の２色駒を碁盤目状の盤の枡目のなかに並べて遊ぶ代表的な駒挟みゲームで、自分の色の駒で相手の色の駒を挟んで自分の色に反転させ、最終的な盤上での駒の色の多さを競うというルールが単純明快なゲームである。そのため、世界各国で老若男女を問わず広く親しまれているが、新鮮味に欠けるという指摘があった。
【０００３】
また、表も裏も同じような質感であることから視覚的なハンデを持った方はゲームを楽しめなかった。
【０００４】
同じように古くから親しまれている盤上ゲームである将棋において、動物将棋は文字の代わりに動物を用いた興味を引きやすい新しいデザインにより新たな需要層を拡大した。（特許文献１）
【先行技術文献】
【特許文献】
【０００５】
【特許文献１】実開６３−１０９１８２
【考案の概要】
【考案が解決しようとする課題】
【０００６】
本発明の目的は、オセロゲームやリバーシゲームに代表される駒挟みゲームにおいて、表裏で色や模様又は質感の違う生物をデザインすることで、新たな需要層を獲得できる駒挟みゲーム用駒を提供することにある。
【課題を解決するための手段】
【０００７】
上記目的を達成するために、本発明の駒挟みゲーム用駒は、プレイヤー同士が直接又はコンピューターネットワークを介して対局する駒挟みゲーム、或いはプレイヤーがゲーム機上、又はパソコンなどの情報端末上でゲームソフトやゲームプログラム及びAIと対局するバーチャル世界の駒挟みゲームに使用される駒である。また、表裏で色や模様又は質感の違う生物を駒にデザインすることを特徴としている。
【０００８】
本発明の駒を使用すると、駒自体に親しみやすさがあるので興味をひかれる。そして、駒をひっくり返すとき、生物をひっくり返して色や模様を変えるという面白さがある。また、駒の質感を表裏で変えた場合、視覚的にハンデのある方もゲームを楽しめるようになる。その結果、より多くの人が駒挟みゲームを楽しむことが可能になる。
【０００９】
駒の質感を表裏で変えるとは、異なる二つの質感を手触りや音で表現したデザインを表裏に施すことである。
【考案の効果】
【００１０】
本発明の駒は、従来通り簡単に駒挟みゲームを進めることができながら、親しみやすく興味を引きやすくなり、更に表裏で手触りや音を変えると、視覚的なハンデを持った方も楽しめるようになることから需要層を拡大することができる。
【図面の簡単な説明】
【００１１】
【図１】本発明の実施形態の一例を示す駒の構成図である。
【図２】本発明の駒の概念に基づく駒のデザイン例である。
【考案を実施するための形態】
【００１２】
以下に本発明の実施形態を説明する。
【００１３】
本発明において、ゲームの駒は表裏で色や模様及び質感の違う生物をデザインする（図１参照）。
【００１４】
本発明の駒を用いたゲームの進行は、リバーシゲームに準じて行う。
【００１５】
なお、本発明の趣旨は表と裏で色や模様又は質感の違う生物をデザインした駒の提供にあり、その形状や色、塗分け方は例で示すとおり任意に設定できるものとする（図２参照）。パソコンやゲーム機などバーチャル世界において、プレイヤーは駒に触ることができないので、駒に音をつけることで質感を表現する。
【図１】
0003226890.tif 000003
【図２】
0003226890.tif 000004
(57)【要約】      （修正有）【課題】１〜１２月分のカレンダーを横並びに１枚で掲示し先々の予定が一目で分かる横並びカレンダーを提供する。【解決手段】表側に１ヶ月分のカレンダー範囲をＡ４又はＡ３縦型サイズで表記してミシン目で区切りパンチ穴をあけておき、１２ヶ月分を横並び１枚で表示する。【選択図】図１−１
0003226819.tif 000002
【実用新案登録請求の範囲】
【請求項１】
・１ヶ月のカレンダーを１枚として１２枚一組とする。
・大きさは主に１枚あたりＡ４もしくはＡ３の縦書きとする。
詳細は図面に記載。
・１２枚のカレンダーが同一面となるように配置。
・記載内容は和暦・西暦を毎月の頁に記載。
・カレンダー記載面の裏側には写真、事業広告など用途に合わせて記載。
・企業、学校、など年中行事を記載しておくとより実用的になる
１ページごと上部に穴を開けておいて好みのページ数を掲示を可能とする。
【考案の詳細な説明】
【技術分野】
【０００１】本考案は、１〜１２月分のカレンダーを横並びに１枚で掲示し先々の予定が一目で分かるカレンダーに関するものである。
【背景技術】
【０００２】従来は月毎のカレンダーを切り取り、横並びに掲示していた。
【考案の概要】
【考案が解決しようとする課題】
【０００３】今までは、月ごとのカレンダーを切り取り、１枚１枚を横並びに掲示するなどしていることがよく見られた。
カレンダーを切り取る時間と労力、１枚１枚を掲示する時間と労力、又掲示する為の面積（長さ）などの検討などすぐに出来る物ではなかった。
【課題を解決するための手段】
【０００４】月ごとのカレンダーを横並びに印刷して、まとめて横開きにすることで、希望する月数を折り曲げること、又は切り取る事によって好きなように掲示可能とするように製作出来る。
【考案の効果】
【０００５】工事現場、事務仕事など先の予定を立てる作業、家庭では旅行、冠婚葬祭、行事などの予定の記載。資格、受験などの目標予定などの記載が一目で分かるようにする。
個人から事業においても活用が見込まれる、カレンダーの新しい形。
【図面の簡単な説明】
【０００６】
【図１−１】本考案の横並びカレンダーのイメージ図である。
【考案を実施するための形態】
【０００７】壁等に掲示するスペースについては、希望する掲示形態を決定してスペースを決定する。（基本はＡ４又はＡ３用紙の竪置きサイズで検討）
【実施例】
【０００８】Ａ４縦サイズを１ヶ月分として１２ヶ月分で縦３０ｃｍ×横２ｍ５５ｃｍ、実寸では２９．７ｃｍ×２ｍ５２ｃｍのスペースが必要である。
Ａ４縦サイズを１ヶ月分として３ヶ月分折込で縦３０ｃｍ×横６５ｃｍ、実寸では２９．７ｃｍ×６３ｃｍのスペースが必要である。
Ａ４竪サイズの１ヶ月分は縦３０ｃｍ×横２２ｃｍのスペースである。、
【図１−１】
0003226819.tif 000003
【手続補正書】
【提出日】令和2年4月2日(2020.4.2)
【手続補正１】
【補正対象書類名】実用新案登録請求の範囲
【補正対象項目名】全文
【補正方法】変更
【補正の内容】
【実用新案登録請求の範囲】
【請求項１】
表側に１ヶ月分のカレンダー範囲をＡ４又はＡ３縦型サイズで表記してミシン目で区切りパンチ穴をあけておき、１２ヶ月分を横並び１枚で表示する、横並びカレンダー。
(57)【要約】      （修正有）【課題】煩雑で手間のかかる方法とは異なり、コンパクトな簡単装置により自動的に所定の温水温度及び冷水温度に交互に調整して、浴人が動かずして温冷交代浴を可能にした温冷交代浴装置を提供する。【解決手段】温水兼冷水槽１００の一側に温水兼冷水槽からの冷水を吸引して所定温度の温水にして温水兼冷水槽に供給する温水供給器２００を設け、他側に温水兼冷水槽からの温水を吸引して所定温度の冷水にして温水兼冷水槽に冷水を供給する冷水供給器３００を設けた。【選択図】図１
0003226861.tif 000002
【実用新案登録請求の範囲】
【請求項１】
温水兼冷水槽の一側に前記温水兼冷水槽からの冷水を吸引して所定温度の温水にして前記温水兼冷水槽に供給する温水供給器を設け、他側に前記温水兼冷水槽からの温水を吸引して所定温度の冷水にして前記温水兼冷水槽に冷水を供給する冷水供給器を設けたことを特徴とする温冷交代浴装置
【考案の詳細な説明】
【技術分野】
【０００１】  本考案は足や手を温水と冷水を交互に浴びるだけで簡単に血流を良くして健康と美肌になれる温冷交代浴装置に関する。
【背景技術】
【０００２】  人の体は免疫力が上がると、老廃物が流れやすくなり体の内側を綺麗にしてくれると言う。足浴や手浴をすることで汗をかいたとき、汗の中には代謝によって出る老廃物を含み、デトックスと言い体外に流し出してくれて健康を維持する。
そこで特に末端冷え性の方は、一般に足（又は手）を湯と冷水で交互に温冷浴をして老廃物を体外に出し血流を促進することが効果的として推奨されている。【０００３】  足の温冷浴としては次の方法例が公知である。
１．ガンコな末端冷え性に効く二つ桶交互使用法
桶をふたつ用意して３６〜４２℃のお湯と１４〜２４℃の冷水に交互に足湯します。まず足湯用のお湯と同じくらいの量の冷水を用意する。それから足湯で足を温めた後に冷水に足をつける。温水３分、冷水１分（または２０秒程度）」を「３〜５回繰り２〜５分ずつを５セットほど繰り返し、最後は水に浸けて終了する。そして素早く靴下を履いて保温する。いわゆる「温冷交代浴」といわれるものある。ただ単に足湯を行うよりもはるかに終わった後に足がポカポカする。なぜ冷えてる足をわざわざ水につけるのと不思議に思われるが、実は、温めた足が冷水で一気に冷えるので身体が血液を多く流そうとする。サウナのあと冷水を浴びるのと同じである。湯冷めをしないように水気はしっかり拭くことが肝心である。【０００４】２．湯船とシャワーの交互使用法
３６〜４２℃のお湯を湯船に張り、シャワーの水温を１４〜２４℃にセットします。温水と冷水、好きなほうからスタートし、それぞれ１分ずつ交互に浴び、５往復して終了。全身に冷水を浴びるのがつらいという人は、最初に足先にシャワーをかけ、ひざ下、太ももの付け根に少しずつ範囲を広げ、最後に左右の腕にかる。温水を浴びるときは、湯船に肩までよくつかって体を温める。
【考案の概要】
【考案が解決しようとする課題】
【０００５】  本考案は、煩雑で手間のかかる前記従来の温冷浴方法とは異なり、コンパクトな簡単装置により自動的に所定の温水温度及び冷水温度に交互に調整して、浴人が動かずして温冷交代浴を可能にした温冷交代浴装置を提供する。
【課題を解決するための手段】
【０００６】  上記課題を満足させる本考案における主な技術構成は、次の（１）の通りである。
（１）、温水兼冷水槽の一側に前記温水兼冷水槽からの冷水を吸引して所定温度の温水にして前記温水兼冷水槽に供給する温水供給器を設け、他側に前記温水兼冷水槽からの温水を吸引して所定温度の冷水にして前記温水兼冷水槽に冷水を供給する冷水供給器を設けたことを特徴とする温冷交代浴装置。
【考案の効果】
【０００７】  本考案の温冷交代浴装置は、前記のような煩雑で手間のかかる方法とは異なり、前記構成のようにコンパクトな簡単装置により自動的に所定の温水温度及び冷水温度に交互に調整して、浴人が動かずして足や手の温冷交代浴を有利に可能にしたものである。
これにより足や手を温水と冷水を交互に浴びて血流を良くして冷え性を改善して健康と美肌を維持することができる等の優れた作用効果を呈するものである。
【図面の簡単な説明】
【０００８】
【図１】本考案の実施例を示す縦断面説明図である。
【考案を実施するための形態】
【０００９】  本考案を実施するための形態を図１に示す実施例により詳細に説明する。
【実施例】
【００２０】  本考案の実施例の温冷交代浴装置ＨＣは、温水兼冷水槽１００とその両側に一体的に併設した温水供給器２００と冷水供給器３００とこれらの稼働制御器４００とからなる。
温水兼冷水槽１００は上方開放型の簡易足浴槽でその両側に温水供給器２００と冷水供給器３００とを供給口２０１，３０１吸引口２０２，３０２で連通接続してある。
温水供給器２００は内設のヒータ２０３（ニクロム線型）と給排ポンプ２０４を有する。
冷水供給器３００は内設の低沸点ガス液化冷却器３０３とその圧縮液化器３０５と給排ポンプ３０４を有する。
稼働制御器４００は、温水供給器２００と冷水供給器３００を交互に運転制御する。【００２１】  即ち本例の稼働制御器４００は、当初温水兼冷水槽１００に張った冷水を温水供給器２００のポンプ２０４とヒーターコントローラー２０５を運転して温水供給器２００のヒータ２０３内に吸引して測温計Ｓ１の測定値ｔｎを入力しながら所定の設定温度（３６〜４２℃）Ｈｔの温水に間接加熱して前記温水兼冷水槽１００に供給する。これで温水兼冷水槽１００に供給された温水で３分ほど足の温水浴をする。
この後に冷水供給器３００のポンプ３０４と圧縮液化器３０５を運転して温水兼冷水槽１００にある温水を冷水供給器３００内に吸引して測温計Ｓ１の測定値ｔｎを入力しながら所定の設定温度（１４〜２４℃）Ｈｔの冷水に間接冷却して前記温水兼冷水槽１００に供給する。これで温水兼冷水槽１００に供給され入れ替わった冷水で１．５分ほど足の冷水浴をする。【００２２】  以上を３〜５回繰り２〜５分ずつを５セットほど繰り返し、最後は冷水に足を１．５分浸けて終了する。
これにより足や手を温水と冷水を交互に浴びて血流を良くして冷え性を改善して健康と美肌を維持することができる等の優れた作用効果をえることが出来た。
【産業上の利用可能性】
【００２３】  本考案は、前述の優れた作用効果を呈して
産業に寄与と発展に貢献すること多大なものがある。
【符号の説明】
【００２４】  ＨＣ：温冷交代浴装置                  ２０５：ヒーターコントローラー
１００：温水兼冷水槽                  ３００：冷水供給器
２００：温水供給器                    ３０３：低沸点ガス液化冷却器
２０１，３０１：吸引口                ３０５：圧縮液化器
２０２，３０２：供給口                ３０４：給排ポンプ
２０３：ヒータ（ニクロム線型）        ４００：稼働制御器
２０４：給排ポンプ                      Ｓ１：測温計
【図１】
0003226861.tif 000003
(57)【要約】【課題】常用している枕に装着することができ、高さや硬さなどの仕様変更を容易に施すことができる枕カバーおよび枕カバーセットを提供する。【解決手段】枕カバーセット１０は、枕３０の表面および裏面を被覆する、もしくは枕の全体を被覆する枕カバー１２と、枕の高さおよび／または硬さを調節するためのパッド１４とを備え、枕カバー１２には、パッド１４を枕３０の裏面側に位置するように装着するためのポケット２０を備える。【選択図】図１
0003226867.tif 000002
【実用新案登録請求の範囲】
【請求項１】
少なくとも枕の表面および裏面を被覆する枕カバーであって、
枕の裏面側に位置するようにパッドを装着するためのポケットを備える、
枕カバー。
【請求項２】
前記ポケットが、枕の裏面と対向する側に設けられている、
請求項１に記載の枕カバー。
【請求項３】
前記ポケットが、枕の裏面の周縁と相対する位置に設けられている、
請求項１または２に記載の枕カバー。
【請求項４】
請求項１乃至３の何れかに記載された枕カバーと、前記枕カバーに設けられているポケットに装着する複数のパッドを備える、
枕カバーセット。
【考案の詳細な説明】
【技術分野】
【０００１】
本考案は、枕カバーおよび枕カバーセットに関する。
【背景技術】
【０００２】
使用者の好みに応じて高さの調節が可能な枕が特許文献１に開示されている。この枕は、複数のパッドを用いて枕の表面に凹凸を形成することにより、使用者の頭部を効果的に支えながら快適な睡眠環境を提供することができるように構成されている。
【先行技術文献】
【特許文献】
【０００３】
【特許文献１】特開２０２０−３１７８０号公報
【考案の概要】
【考案が解決しようとする課題】
【０００４】
特許文献１に開示されている枕は、枕の表面とパッドの裏面とを正しく係合させることによりパッドを枕に装着する構成となっているため、使用に際しての準備が煩雑であり、また、係合部の緩みや破損などにより使用できなくなることが予想される。また、装着したパッドにより枕の表面に凹凸が形成されるため、人によっては使用時に違和感を覚えることもある。さらには、枕が専用品となるため、価格の高騰を招くとともに、使い慣れた枕が変わることに対して不安を覚える人も多いであろう。
【０００５】
そこで本考案は、常用している枕に装着することができ、高さや硬さなどの仕様変更を容易に施すことができる枕カバーおよび枕カバーセットを提供する。
【課題を解決するための手段】
【０００６】
本考案の枕カバーは、枕の表面および裏面を被覆する、もしくは枕の全体を被覆する枕カバーであって、枕の高さおよび／または硬さを調節するためのパッドを枕の裏面側に位置するように装着するためのポケットを備える、枕カバーである。
【０００７】
ポケットは、枕の裏面と対向する側に設けられていること、さらには枕の裏面の周縁と相対する位置に設けられていることが望ましい。
【０００８】
本考案の枕カバーセットは、前述した枕カバーと複数のパッドを備える枕カバーセットである。
【考案の効果】
【０００９】
本考案によれば、常用している枕に装着することができ、高さや硬さなどの仕様変更を容易に施すことができる枕カバーおよび枕カバーセットを提供することができる。
【図面の簡単な説明】
【００１０】
【図１】枕カバーセットの態様を示す概略図
【図２】枕カバーセットの使用時の態様を示す概略図
【考案を実施するための形態】
【００１１】
本考案の実施形態について、添付された図面を参照しながら説明する。
【００１２】
〔枕カバーセットの構成〕
図１に示す枕カバーセット１０は、枕カバー１２および複数のパッド１４により構成されている。枕カバー１２は平面視して矩形の布製品であり、長尺方向の両端にはそれぞれボタン１６とボタンホール１８が設けられている。枕カバー１２の裏面には４個のポケット２０が設けられている。各ポケット２０は、枕３０を所定の位置に設置したときに枕３０の周縁に相当する位置にパッド１４が固定されるように設けられている。ポケット２０は、枕カバー１２の裏面に布片を縫着もしくは接着することにより、両端が開口した筒状の収納空間に形成されている。
【００１３】
パッド１４は、ポケット２０に無理なく挿入することができる程度の大きさや形状の布製の袋体である。パッド１４の充填物には合成樹脂の他に羽毛、綿、そばがら、ヒノキチップ等の天然素材を用いることができる。パッド１４は、ポケット２０から簡単に取り外しができるため、素材の違うものや硬さの違うものなどいくつかのタイプを用意しておき、使用者の嗜好に応じて使い分けることも可能である。
【００１４】
〔枕カバーセットの使用方法〕
枕カバーセット１０の使用に際しては、まず、ポケット２０がある側（裏面）を上向きにして枕カバー１２を展開し、ポケット２０にパッド１４を挿入して枕カバー１２に装着する。次に、パッド１４の上に枕３０を載せ、最後に枕３０の表面に枕カバー１２の残りの部分を覆い被せるようにしてボタン１６を留める。
【００１５】
４個のポケット１８の全てにパッド１４を装着した場合、頭部の重さにより枕３０の中央が大きく窪んだ状態となる。頭頂側や頸部側に違和感を覚える場合は、当該箇所のパッド１４をより薄いものや柔らかいものに交換するか、もしくはパッド１４を取り外して何も装着しない状態にすることにより快適性を向上させることができる。また、頭部の右側もしくは左側に厚めのパッド１４や硬めのパッド１４を装着することにより、読書やテレビを観るときなどに顔を横向きに固定することもできる。
【００１６】
枕カバーセット１０により得られる効果としては以下のようなものが挙げられる。第１に、枕カバー１２およびパッド１４は、市販の材料を用いて簡単に製作することができるため、コストを安価に抑えることができる。第２に、パッド１４による凹凸が枕３０によってなだらかな起伏に緩和されるため、使い始めの段階から違和感の少ない快適な使用感を得ることができる。第３に、枕３０が専用品ではなく、使い慣れたものをそのまま使用することができることも違和感の少ない快適な使用感の提供に貢献する。第４に、枕カバーは家庭用洗濯機で洗濯することができるため、常に清潔な状態に維持することができる。
【００１７】
〔枕カバーセットの他の構成〕
枕カバー１２は、前述したような枕３０の表面と裏面のみを被覆する帯状タイプのほかに、枕３０を完全に包み込む袋タイプのものも適用することができる。また枕カバー１２の開閉にはボタン１６の他にファスナー（面ファスナーを含む）を適用することができる。
【００１８】
ポケット２０は、期待する効果や使用者の属性等に応じて数や配置、大きさなどを任意に設定することができる。枕カバー１２の表面にポケット２０を設けることもできる。また、ポケット２０の片側は面ファスナー等により固定するようにしてもよい。こうすればパッド１４の装着が容易になるとともにパッド１４の大きさ（特に厚さ）の変更にも容易に対応することができる。また、ポケット２０は両端が開口した筒形の形態のほかに一端が閉じていている形態であってもよい。
【符号の説明】
【００１９】
１０  枕カバーセット
１２  枕カバー
１４  パッド
２０  ポケット
３０  枕  
【図１】
0003226867.tif 000003
【図２】
0003226867.tif 000004
(57)【要約】      （修正有）【課題】手軽に除雪作業が行え、高齢者や女性が簡単に操作でき、機械に不慣れな人でも簡単に使用できる、操作性、安価で作業性が良いスコップを提供する。【解決手段】電動モーターにより駆動されるツメが付いた左右の車輪３を有するスコップであって、作業者の身長に合わせて取手８の位置を可変用ピンで調整し高さを変え、取手の近くに電源スイッチ部７を取り付け、電源スイッチ部をＯＮにし電動モーターを可動させ前進させる、電源スイッチ部をＯＦＦにすると二個の車輪は停止する、電動モーターの駆動電力は抄くい部１の後部に取り付けたバッテリー部４より供給され、ツメが付いた左右の車輪二個は事故防止のため前進のみとする。【選択図】図１
0003226687.tif 000002
【実用新案登録請求の範囲】
【請求項１】
抄くい部の後部に駆動ユニットと可変可能な柄を取り付け、前記駆動ユニットはツメが付いた左右の車輪と電動モータを備え、前記可変可能な柄は救い部に金具を介して取り付けられたスコップ。
【請求項２】
前記駆動ユニットは電動モータとツメが付いた左右の車輪を２個の支点で抄くい部の後部に固定され、前記車輪は救い物の付着を阻止する樹脂を前面に途布した請求項１に記載のスコップ。
【請求項３】
前記可変可能な柄は一方の端部に取手を有し、もう一方の端部には金具を介して抄くい部に取り付けられており、前記金具は中心部ピンを有し、この中心部ピンを基準として搖動を可能にするピンにより可変可能な柄の角度を調整可能にした請求項１に記載のスコップ。
【考案の詳細な説明】
【技術分野】
【０００１】小型の抄くい部の後部に駆動ユニットを設け前記駆動ユニットには電動モータとツメが付いた左右の車輪を取り付け、金属製の二個の車輪は電動モータに接続されており、バッテリーからの電源を電源スイッチによりＯＮ−ＯＦＦし車輪を可動させ、軽い雪、重い雪、を除去出来るスコップ。
【背景技術】
【０００２】特に高齢な女性は足、腰が弱く重い雪を除雪するのは大変な力が必要である、雪国の人達はそのため他人に除雪作業を依頼される場合が多い、スコップに少しのアシスト動力が付属されてをれば、この作業は高齢な女性でも十分可能である。
【先行技術文献】
【特許文献】
【０００３】
【特許文献１】特開  ２０１８−３１１０７  公報
【特許文献２】特開  ２０１４−２１４５６３公報
【考案の概要】
【考案が解決しようとする課題】
【０００４】雪国での農村地帯及び僻地では高齢者が多く少しの積雪でも除雪する事が不可能な状態である、自力で少しでも除雪することができる事を望んでいる、安価で操作性の良く軽い除雪具が望まれる、特開  ２０１８−３１１０７  公報では駆動に電動モーターを使用され走行部に前進後進の走行部を備えているが、滑る雪の上では後進はクローラベルトに轢かれ事故が起きる、又仕組みが複雑で重量が重く高齢者及び女性は操作が無理のようである。
特開  ２０１４−２１４５６３公報では特開  ２０１８−３１１０７と同じく前進後進の走行部が有り、滑る雪の上では後進はクローラベルトに轢かれ事故が起きる、又操作者の身長に合せる操作ハンドルの高さが可変出来ず操作性が悪い。
【課題を解決するための手段】
【０００５】抄くい部の後部に駆動ユニットと可変可能な柄を取り付け、前記駆動ユニットはツメが付いた左右の車輪と電動モータを備え、前記可変可能な柄は救い部に金具を介して取り付けられ、前記駆動ユニットは電動モータとツメが付いた左右の車輪は２個支点で抄くい部の後部に固定され、前記車輪は救い物の付着を阻止する樹脂を前面に途布し前記可変可能な柄は一方の端部に取手を有し、もう一方の端部には金具を介して抄くい部に取り付けられており、前記金具は中心部ピンを有し、この中心部ピンを基準として搖動を可能にするピンにより可変可能な柄の角度を調整可能にしたスコップ。
【考案の効果】
【０００６】雪国の高齢者、女性が除雪する運搬具は簡単な雪カキ具で行っているが、それは大変な労働である、今まで他人に依頼していた雪カキをこのスコップによって、装置が軽量で操作性が良く電動アシストの為、自力で作業が可能になり高齢者、女性の除雪には最適である。
【図面の簡単な説明】
【０００７】抄くい部、ツメ付き左右の車輪、電動モーター、バッテリー部、電源スイッチ部を搭載したスコップの図面である。
【図１】  側面図
【図２】  平面図
【図３】  斜視図
【図４】  扇形金具の側面図
【図５】  駆動ユニット上面図
【図６】  駆動ユニット側面図
【考案を実施するための形態】
【０００８】以下、本発明の形態を説明する。
【０００９】スコップの実施例を添付図面に従がって説明する。
【００１０】バッテリー部４の充電電圧が十分かＬＥＤの表示が点灯していることを確認し、点灯していなければ充電する。
【００１１】図４の通り可変可能な柄の高さは作業者の身長に合わせて可変可能な柄の可変角度５を変えるため金具１２、の中心部ピン１０、を支点とし可変ピン１１、を差し替え調整する、取手８、は可変可能な柄６、に固定されている。
【００１２】図３の通りバッテリー部４、の充電完了品をセットし  可変可能な柄６、に取り付けてある電源スイッチ部７、のスイッチをＯＮにし少し車輪３、が回転するか確認する。
【００１３】図３の通り車輪３、が回転することを確認した後電源スイッチ部７、のスイッチをＯＮにして本格的に除雪作業を行う、作業が終了した時点でスコップに付着した雪を除去し次回の雪カキまで保管しておく。
【符号の説明】
【００１４】  １  抄くい部
２  固定金具
３  ツメが付いた車輪
４  バッテリー部
５  柄の角度
６  柄
７  電源スイッチ部
８  取手
９  電動モーター
１０  中心部ピン
１１  可変用ピン
１２  金具
１３  車輪用軸
１４  軸支柱
１５  地面
１６  駆動ユニット固定孔
１７  駆動ユニット固定板
１８  駆動ユニット
１９  スコップ
【図１】
0003226687.tif 000003
【図２】
0003226687.tif 000004
【図３】
0003226687.tif 000005
【図４】
0003226687.tif 000006
【図５】
0003226687.tif 000007
【図６】
0003226687.tif 000008
【手続補正書】
【提出日】令和2年3月18日(2020.3.18)
【手続補正１】
【補正対象書類名】実用新案登録請求の範囲
【補正対象項目名】全文
【補正方法】変更
【補正の内容】
【実用新案登録請求の範囲】
【請求項１】
抄（すくい）部の後部の下部に取り付けられた駆動ユニット、前記抄くい部の後部の上部に取り付けられた金具に配置された位置を変える可変用ピンに連結された柄、前記駆動ユニットはツメが付いた車輪と電動モーターを備えているスコツプ。
(57)【要約】      （修正有）【課題】威圧感や恐怖感を抱くことなく一般の歩道に日常的に用いることができる侵入車輌阻止アングルを提供する。【解決手段】侵入車輌阻止アングルは、フレーム５、６にアルミカバー１を張り合わせ、フレームが地面に突き刺さるように構成されている。車輌の衝突と同時にカバーが壊れ、車両強制停止に結びつける。【選択図】図４
0003226684.tif 000002
【実用新案登録請求の範囲】
【請求項１】
通行人に威圧感を与えないようにしたカバー付き内装式車輛阻止アングル。
【考案の詳細な説明】
【技術分野】
【０００１】
本考案はタイヤ走行の車輌が&#32363;華街等の通路に強行突入してくることを想定される際に民衆に恐怖感を与えることなく設置できる車輛を強制的に阻止させる機器に関する。
【背景技術】
【０００２】
従来の車輌阻止に関するものは、見た目そのものが強制停止装置と分かるもので、警戒状態ならいざしらず、日常に設置されるものとして不自然で、威圧感や恐怖感を煽るものであった。
【先行技術文献】
【非特許文献】
【０００３】
「２０１８年度総合カタログ」,株式会社ポータ工業,２０１８,ｐ.3７
【考案の概要】
【考案が解決しようとする課題】
【０００４】
本考案は、以上のような従来の状況を鑑み、外観からは車輛阻止装置とはからないようにし、なお且つ車輌強制阻止能力開発高めることを目的としている。
【課題を解決するための手段】
【０００５】
上記目的を達成するため、本考案は車輛阻止装置のフレームにアルミカバーを張り合はせ内部の車輛阻止装置は地面に突き刺さるもので構成されている。
【考案の効果】
【０００６】
以上の説明から明らかなよう、本考案にあっては次に列挙する効果が得られる
(１) 内部を覆うことで&#32363;華街等の通路に通行人に恐怖感を与えることなく設置できるものとなるのである。
【０００７】
(２) 車輛阻止の際に、素早く地面に突き刺さるものが装備されているため、車輌を早く強制阻止させるものである。
【図面の簡単な説明】
【０００８】
【図１】内装式阻止アングル外観の正面図
【図２】内装式阻止アングル外観の右側面図
【図３】内装式阻止アングル斜視の正面図
【図４】内装式阻止アングル斜視の右側面図
【考案を実施するための形態】
【０００９】
以下、本考案の実施の形態を図に基づいて説明する。
【実施例１】
【００１０】
図２は本考案装置の実施例１の外観右側面図である。図面向かって右側から車輌が進入し、右上に衝突と共に１アルミカバーと、２後部車輪が破損し、３突き上げポイントAが地面に食い込み、ついで５アングルフレームAを前方上部に押し上げると４突き上げポイントBも地面に食い込むのである。また車両は５アングルフレームAを押し上げると同時に６アングルフレームBにより車輌は押し上げられ、地面では３突き上げポイントAと４突き上げポイントの支えにより車輌の前輪が跳ね上げられ停止するのである。
【産業上の利用可能性】
【００１１】
異常車輌の進入を阻止するため、威圧感を抱くことなく日常的に道路に設置できるものである。
【符号の説明】
【００１２】
１アルミカバー
２後部車輪
３突き上げポイントA
４突き上げポイントB
５アングルフレームA
６アングルフレームB
【図１】
0003226684.tif 000003
【図２】
0003226684.tif 000004
【図３】
0003226684.tif 000005
【図４】
0003226684.tif 000006
【手続補正書】
【提出日】令和1年12月21日(2019.12.21)
【手続補正１】
【補正対象書類名】実用新案登録請求の範囲
【補正対象項目名】全文
【補正方法】変更
【補正の内容】
【実用新案登録請求の範囲】
【請求項１】
カバーに覆われた内装式車輌阻止アングル。
【手続補正書】
【提出日】令和2年3月26日(2020.3.26)
【手続補正１】
【補正対象書類名】実用新案登録請求の範囲
【補正対象項目名】全文
【補正方法】変更
【補正の内容】
【実用新案登録請求の範囲】
【請求項１】
カバーに覆われた侵入車輌阻止アングル。
(57)【要約】      （修正有）【課題】一人で全部セットでき、バリケードを組む時、強い力がかかっても丈夫に設置可能な進入規制や区域制限を行う時に用いる一体型のパイプ柵を提供する。【解決手段】一体型のパイプ柵は、２枚のパイプ柵をＡ字型に設置し、上部を内部が回転できる２本の固定ベルトで固定し、下部の一方に上下回転をする固定金具、もう一方に上下にスライドする固定金具を取り付け、全てが一体化されている。【選択図】図２
0003226683.tif 000002
【実用新案登録請求の範囲】
【請求項１】
一人で一回のもちこみで設置、収納ができる上下回転、上下スライド式固定金具付きパイプ柵。
【考案の詳細な説明】
【技術分野】
【０００１】
本考案はパイプ柵をA型に設置する時に、簡単に素早く設置、撤収ができることを目的にした器具に関するものである。
【背景技術】
【０００２】
従来のパイプ柵A型設置器具は、パイプ柵と分離したものであり、上部に２枚の固定ベルト、2枚の本体パイプ柵、下部の2枚の固定金具、この全部がばらばらのもので、設置に時間を有するものですあった。
【先行技術文献】
【非特許文献】
【０００３】
「２０１７年度総会カタログ」,株式会社ポーター工業,２０１７,ｐ.3９
【考案の概要】
【考案が解決しようとする課題】
【０００４】
本考案は、以上のような従来の状況を鑑み、本体パイプ柵に2枚の固定ベルトと2枚の固定金具を一体化させ、スライド組立にし、簡単、時間短縮化することを課題とする。
【課題を解決するための手段】
【０００５】
上記目的を達成するため、本考案は本体パイプ柵の上部に二枚の固定ベルトを取り付け、下部には、固定金具を一方のパイプ柵に上下回転するものを固定し、もう一方のパイプ柵には上下にスライドする構造とするもので構成されている。
【考案の効果】
【０００６】
以上の説明から明らかなよう、本考案にあっては次に列挙する効果が得られる
(１) 固定金具をスライド化することで設置、撤収が簡単、かつ時間短縮化するものである。
【０００７】
(２) 一体化することでそれぞれの部品がそれぞれのケースに収納されていたものが一つのケースに収まるようになり、コンパクト化されるものである。
【図面の簡単な説明】
【０００８】
【図１】パイプ柵A型設置時正面図
【図２】パイプ柵A型設置時右側面図
【図３】パイプ柵A型設置時平面図
【図４】収納状態A-A矢視図
【考案を実施するための形態】
【０００９】
以下、本考案の実施の形態を図に基づいて説明する。
【実施例１】
【００１０】
図２は本考案装置の実施例の設置時右側面図である。図面左のパイプ柵の中間柱の下部に１Uボルトトと２回転シャフトで固定し、３バーの左に２回転シャフトを上下回転するパイプを取り付け、３バーの右に右パイプ柵にスライド、固定するための４移動金具を取り付け、４移動金具は５下部パイプに食い込むことで固定され、４移動金具が６中間柱を上部にスライドし、図４の収納状態になるのである。７固定ベルトはベルト内でそれぞれのパイプ柵の上部パイプが回るものである。
【産業上の利用可能性】
【００１１】
進入禁止柵の設置、収納が一人で一回の持ち込みで可能になり、パイプ柵の下部パイプを開くことで設置ができ、移動金具を上げることで収納ができるため、簡単、短時間にできるようになるのである。
【符号の説明】
【００１２】
１Uボルト
２回転シャフト
３バー
４移動金具B
５下部パイプ
６中間柱
７固定ベルト
【図１】
0003226683.tif 000003
【図２】
0003226683.tif 000004
【図３】
0003226683.tif 000005
【図４】
0003226683.tif 000006
【手続補正書】
【提出日】令和1年11月11日(2019.11.11)
【手続補正１】
【補正対象書類名】実用新案登録請求の範囲
【補正対象項目名】全文
【補正方法】変更
【補正の内容】
【実用新案登録請求の範囲】
【請求項１】
パイプ柵２枚をA型に設置する際、2枚のパイプ柵の上部に２本のベルトが巻かれ、下部に２セットの可動式固定金具が装着された、一体設置、一体収納ができるパイプ柵。
【手続補正書】
【提出日】令和1年12月21日(2019.12.21)
【手続補正１】
【補正対象書類名】実用新案登録請求の範囲
【補正対象項目名】全文
【補正方法】変更
【補正の内容】
【実用新案登録請求の範囲】
【請求項１】
2枚のパイプ柵２本のベルト２セットの可動式固定金具がアッセンブリになったパイプ柵。
【手続補正書】
【提出日】令和2年3月26日(2020.3.26)
【手続補正１】
【補正対象書類名】実用新案登録請求の範囲
【補正対象項目名】全文
【補正方法】変更
【補正の内容】
【実用新案登録請求の範囲】
【請求項１】
パイプ柵２枚をA型に設置する際、2枚のパイプ柵の上部に２本のベルトが巻かれ、下部に２セットの可動式固定金具が装着された一体型のパイプ柵。